(57)【要約】【課題】不使用時に、スタッキングしてコンパクトな収納状態にできる蒸し調理器を提供すること。【解決手段】鍋体２と、この鍋体２内に支持する蒸し調理食材収納用の容器体３と、この容器体３の上部開口部を閉塞する蓋体７とから成る蒸し調理器であって、鍋体２は、外形が上部から底部へ行くほど径小となる形状に形成して、この鍋体２の径小下側部分２Ａを容器体３内に収納し得るように構成すると共に、この際、容器体３の周壁31の上部開口縁に載置する支持部21Ａをこの鍋体２の周壁21の上部に設け、この支持部21Ａに上方から載置し得る鍔部70を蓋体７の周縁部に設けて、上下逆さまとした蓋体７のこの鍔部70を鍋体２の支持部21Ａに載置することで、鍋体２内に蓋体７を収納し得るように構成する。【選択図】図３
2008023254.tif 000002
【特許請求の範囲】
【請求項１】
水を収容する鍋体と、この鍋体内に着脱自在に支持するものであって且つ鍋体内で発生する蒸気を導入する導入孔を底壁に備えた蒸し調理食材収納用の容器体と、この容器体の上部開口部を開閉自在に閉塞する蓋体とから成る蒸し調理器であって、前記鍋体は、外形が上部から底部へ行くほど径小となる形状に形成して、この鍋体の径小下側部分を前記容器体の上部開口部から容器体内に収納し得るように構成すると共に、この際、容器体の周壁の上部開口縁に載置する支持部をこの鍋体の周壁の上部に設け、この支持部に上方から載置し得る鍔部を前記蓋体の周縁部に設けて、上下逆さまとした蓋体のこの鍔部を鍋体の支持部に載置することで、鍋体内に蓋体を収納し得るように構成したことを特徴とする蒸し調理器。
【請求項２】
水を収容する鍋体と、この鍋体内に着脱自在に支持するものであって且つ鍋体内で発生する蒸気を導入する導入孔を底壁に備えた蒸し調理食材収納用の容器体と、この容器体の上部開口部を開閉自在に閉塞する蓋体とから成る蒸し調理器であって、前記鍋体の上部開口部の径寸法を、前記容器体の下部を収納し得る径寸法に設定すると共に、この鍋体の周壁の上部に支持部を設け、この支持部に載置される載置部を前記容器体の周壁に設けて、鍋体の上部開口部に容器体の下部を収納して載置部を支持部に載置することで、鍋体内に容器体の下部を支持する構成とし、前記鍋体は、外形が上部から底部へ行くほど径小となる形状に形成して、この鍋体の径小下側部分を前記容器体の上部開口部から容器体内に収納し得るように構成すると共に、この際、前記支持部の下部を容器体の上部開口縁に載置し得るようにこの支持部を構成し、前記蓋体の周縁部に、前記鍋体の支持部に載置し得る鍔部を設けて、上下逆さまとした蓋体のこの鍔部を鍋体の支持部に載置することで、鍋体内に蓋体を収納し得るように構成したことを特徴とする蒸し調理器。
【請求項３】
前記鍋体の周壁の上端部に前記支持部を設け、この鍋体の支持部より下側部分の外径寸法を、前記容器体の上部開口部の開口径寸法よりも径小に設定して、この支持部より下側部分を前記径小下側部分とし、この径小下側部分を前記容器体の上部開口部から容器体内に収納して前記支持部を容器体の上部開口縁に載置した際、この径小下側部分の全域が容器体内に収納する構成としたことを特徴とする請求項１，２のいずれか１項に記載の蒸し調理器。
【請求項４】
前記鍋体の周壁の上部全周に、略水平な支持面を有する前記支持部を設け、前記容器体の周壁の下部全周に、略水平な載置面を有する前記載置部を設けて、この載置部の載置面の略全面を支持部の略全面に載置し得るように構成し、前記蓋体の周縁部全周に略水平な載置面を有する前記鍔部を設けて、上下逆さまとしたこの蓋体の鍔部の載置面の略全面を前記支持部の支持面の略全面に載置し得るように構成したことを特徴とする請求項２，３のいずれか１項に記載の蒸し調理器。
【発明の詳細な説明】
【技術分野】
【０００１】
本発明は、不使用時にコンパクトなスタッキング状態にできる蒸し調理器に関するものである。
【背景技術】
【０００２】
従来から、図１，図２に示すような水を収容するための鍋体２と、この鍋体２の上部に支持するものであって且つ鍋体２内で発生する蒸気を導入する導入孔４を底壁30に形成した蒸し調理食材収納用の容器体３と、この容器体３の上部開口部を閉塞する蓋体７とから成る蒸し調理器が実施されている。
【０００３】
また、この蒸し調理器の使用方法は、鍋体２内に水を収容し、この鍋体２の上部開口部に蒸し調理食材を収納した容器体３をセットし、この容器体３の上部開口部に蓋体７をセットして下段の鍋体２を加熱すると、鍋体２内の水が蒸気化してこの蒸気が前記導入孔４から上段の容器体３内に導入し、この導入した蒸気によって容器体３内に収納した蒸し調理食材が蒸し調理される。
【発明の開示】
【発明が解決しようとする課題】
【０００４】
ところで、このような鍋体２と容器体３とを上下二段に配置する構造の蒸し調理器は、高さがあるために嵩張る。また、鍋体２から容器体３を取り外して収納するようにすれば高さを小さくできるが、反面容体二個分の載置スペースを要することになってしまうなど、いずれにしても、不使用時の収納性が悪いという欠点があった。
【０００５】
本発明は、このような上下二段構造の蒸し調理器の収納性の問題に注目し、これを解決しようとするもので、不使用時にはスタッキングしてコンパクトな収納状態にできる画期的な蒸し調理器を提供するものである。
【課題を解決するための手段】
【０００６】
添付図面を参照して本発明の要旨を説明する。
【０００７】
水を収容する鍋体２と、この鍋体２内に着脱自在に支持するものであって且つ鍋体２内で発生する蒸気を導入する導入孔４を底壁30に備えた蒸し調理食材収納用の容器体３と、この容器体３の上部開口部を開閉自在に閉塞する蓋体７とから成る蒸し調理器であって、前記鍋体２は、外形が上部から底部へ行くほど径小となる形状に形成して、この鍋体２の径小下側部分２Ａを前記容器体３の上部開口部から容器体３内に収納し得るように構成すると共に、この際、容器体３の周壁31の上部開口縁に載置する支持部21Ａをこの鍋体２の周壁21の上部に設け、この支持部21Ａに上方から載置し得る鍔部70を前記蓋体７の周縁部に設けて、上下逆さまとした蓋体７のこの鍔部70を鍋体２の支持部21Ａに載置することで、鍋体２内に蓋体７を収納し得るように構成したことを特徴とする蒸し調理器に係るものである。
【０００８】
また、水を収容する鍋体２と、この鍋体２内に着脱自在に支持するものであって且つ鍋体２内で発生する蒸気を導入する導入孔４を底壁30に備えた蒸し調理食材収納用の容器体３と、この容器体３の上部開口部を開閉自在に閉塞する蓋体７とから成る蒸し調理器であって、前記鍋体２の上部開口部の径寸法を、前記容器体３の下部を収納し得る径寸法に設定すると共に、この鍋体２の周壁21の上部に支持部21Ａを設け、この支持部21Ａに載置される載置部10を前記容器体３の周壁31に設けて、鍋体２の上部開口部に容器体３の下部を収納して載置部10を支持部21Ａに載置することで、鍋体２内に容器体３の下部を支持する構成とし、前記鍋体２は、外形が上部から底部へ行くほど径小となる形状に形成して、この鍋体２の径小下側部分２Ａを前記容器体３の上部開口部から容器体３内に収納し得るように構成すると共に、この際、前記支持部21Ａの下部を容器体３の上部開口縁に載置し得るようにこの支持部21Ａを構成し、前記蓋体７の周縁部に、前記鍋体２の支持部21Ａに載置し得る鍔部70を設けて、上下逆さまとした蓋体７のこの鍔部70を鍋体２の支持部21Ａに載置することで、鍋体２内に蓋体７を収納し得るように構成したことを特徴とする蒸し調理器に係るものである。
【０００９】
また、前記鍋体２の周壁21の上端部に前記支持部21Ａを設け、この鍋体２の支持部21Ａより下側部分の外径寸法を、前記容器体３の上部開口部の開口径寸法よりも径小に設定して、この支持部21Ａより下側部分を前記径小下側部分２Ａとし、この径小下側部分２Ａを前記容器体３の上部開口部から容器体３内に収納して前記支持部21Ａを容器体３の上部開口縁に載置した際、この径小下側部分２Ａの全域が容器体３内に収納する構成としたことを特徴とする請求項１，２のいずれか１項に記載の蒸し調理器に係るものである。
【００１０】
また、前記鍋体２の周壁21の上部全周に、略水平な支持面を有する前記支持部21Ａを設け、前記容器体３の周壁31の下部全周に、略水平な載置面を有する前記載置部10を設けて、この載置部10の載置面の略全面を支持部21Ａの略全面に載置し得るように構成し、前記蓋体７の周縁部全周に略水平な載置面を有する前記鍔部70を設けて、上下逆さまとしたこの蓋体７の鍔部70の載置面の略全面を前記支持部21Ａの支持面の略全面に載置し得るように構成したことを特徴とする請求項２，３のいずれか１項に記載の蒸し調理器に係るものである。
【発明の効果】
【００１１】
本発明は上述のように構成したから、不使用時には、鍋体の径小下側部分を容器体内に収納して高さのないスタッキング状態にできると共に、蓋体を上下逆さまにして蓋体の摘まみなどが上方へ突出しないようにして鍋体内に収納できるので、高さのない略容器体一個分のコンパクトなスタッキング状態（収納状態）を実現でき、少スペースへ収納可能となる極めて実用性に秀れた画期的な蒸し調理器となる。
【００１２】
また、請求項２記載の発明においては、鍋体の上部開口部に、容器体の下部を収納して極めて安定的に鍋体上に容器体を支持できる上、この鍋体に設けた容器体の支持構造部分を利用して容器体内に鍋体を安定的に収納保持する構成と、鍋体内に蓋体を安定的に収納保持する構成とを実現できる簡易構成の一層実用性に秀れた蒸し調理器となる。
【００１３】
また、請求項３記載の発明においては、鍋体を容器体内に深く収納できてより高さのないスタッキング状態にできるので、一層コンパクトな収納状態を実現できる秀れた構成の蒸し調理器となる。
【００１４】
また、請求項４記載の発明においては、鍋体を容器体内へ非常に安定的に収納保持できると共に、蓋体を鍋体内へ非常に安定的に収納保持できるので、極めて安定した収納状態（スタッキング状態）が実現することになる一層実用性に秀れた構成の蒸し調理器となる。
【発明を実施するための最良の形態】
【００１５】
好適と考える本発明の実施形態（発明をどのように実施するか）を、図面に基づいて本発明の作用を示して簡単に説明する。
【００１６】
不使用時には、鍋体２内に支持されている容器体３を鍋体２から取り外し、容器体３の上部開口部を閉塞している蓋体７を取り外す。
【００１７】
そして、上部から底部へ行くほど径小となる外形形状に形成した鍋体２は、その径小下側部分２Ａを容器体３の上部開口部から容器体３内に収納することができ、容器体３の周壁31の上部開口縁に鍋体２の周壁21の上部に設けた支持部21Ａを載置すると、この鍋体２の径小下側部分２Ａが容器体３内に収納した状態で保持される。
【００１８】
即ち、鍋体２が容器体３内に収納された高さのない状態に保持される。
【００１９】
次いで、この容器体３内に収納された鍋体２の支持部21Ａに、蓋体７を上下逆さまにしてこの蓋体７周縁部の鍔部70を載置すると、摘まみ11などが鍋体２の上方へ突出することなく、蓋体７が鍋体２内に収納した状態で保持される。
【００２０】
従って、このように容器体３内に鍋体２の径小下側部分２Ａを収納し、鍋体２に逆さまにした蓋体７を収納するようにスタッキングできるので、高さのない略容器体３一個分の大きさのコンパクトな収納状態にでき、少スペースに収納可能となる。
【実施例】
【００２１】
本発明の具体的な実施例について図面に基づいて説明する。
【００２２】
本実施例は、図１，図２に示すような、水を収容する鍋体２と、この鍋体２の上部開口部に着脱自在に支持するものであって且つ鍋体２内で発生する蒸気を導入する導入孔４を底壁30に備えた蒸し調理食材収納用の容器体３と、この容器体３の上部開口部を開閉着脱自在に閉塞する蓋体７とから成る蒸し調理器を示している。
【００２３】
本実施例の鍋体２は、図２に示すように、上部が開口する有底円筒状であって、且つ外形（外径）が上部から底部に行くに従って徐々に径小となる形状に形成している。また、周壁21が外方に向って凸となる湾曲状の壁面形状を呈する形状に形成している。
【００２４】
また、この鍋体２の周壁21の上端部に、前記容器体３の下部を載置して支持するための支持部21Ａを設けている。
【００２５】
具体的には、鍋体２の周壁の上端部全周を外側へ略水平に屈曲形成して、この水平屈曲部を前記支持部21Ａ（段面）としている。また、この支持部21Ａを構成する水平屈曲部の先端縁を上方へ屈曲形成して立ち上がり壁部21Ｂとし、この立ち上がり壁部21Ｂの外側壁面の対向位置に取手８を突設した構成としている。この支持部21Ａも立ち上がり壁部21Ｂも鍋体２に一体に成形する構成としているので、鍋体２の成形に際して容易に且つコスト安に成形可能となる。
【００２６】
また、本実施例では、前記鍋体２の周壁21の上端部に前記支持部21Ａを設け、この鍋体２の支持部21Ａより下側部分の外径寸法を、前記容器体３の上部開口部の開口径寸法よりも径小に設定して、この支持部21Ａより下側部分を前記径小下側部分２Ａとしている。
【００２７】
本実施例の容器体３は、図２に示すように、上部が開口する寸胴な有底円筒状であって、前記鍋体２よりも底の深い形状に形成し、底壁30には、前記導入孔４（丸形の小径孔）を複数散在状態に貫通形成し、周壁31には、外側壁面の上部対向位置に取手９を突設している。
【００２８】
また、この容器体３は、その外径寸法を、前記鍋体２の前記支持部21Ａ位置の開口径よりもやや径小に設定して、この容器体３の下部を鍋体２の上部開口部より挿入収納し得るように構成すると共に、周壁31の外側壁面の下端部寄りに、前記鍋体２の支持部21Ａに掛止載置するための載置部10を外方に向けて突設している。
【００２９】
具体的には、容器体３の周壁31の下端部寄りの内側壁面の全周を外側に向けて凹設することで、周壁31の下端部寄りの外側壁面の全周を外方へ凸設し、更にこの凸設部31Ａの形状を、その下側部が前記支持部21Ａの上部（上面）に掛止載置し得る略水平な平坦面形状に形成して、この下側平坦面を前記載置部10に構成している。
【００３０】
従って、容器体３の下端部を前記鍋体２内に挿入して、容器体３の載置部10を鍋体２の支持部21Ａに載置すると、載置部10の載置面の略全面が支持部21Ａの支持面（上面）の略全面に載置するので、極めて安定的に鍋体２上に容器体３が支持されると共に、容器体３と載置部10とが鍋体２の上部開口部を良好に閉塞して、この支持部位から蒸気の漏出が少なくなる支持状態となり、且つ容器体３の底壁30と鍋体２の底壁20との間に水を収容する空間部と蒸気発生用の空間部とが介在する状態で上下二段に支持される構成としている。
【００３１】
また、この容器体３の上部開口縁の全周を外方へ屈曲することで鍔状部32を形成すると共に、この鍔状部32の先端縁を上方へ巻き込み加工して巻き込み縁部32Ａを形成した構成とし、この鍔状部32上に後述する蓋体７の鍔部70を載置して容器体３の上部開口部を蓋体７で閉塞し得、且つこの際、巻き込み縁部32Ａに蓋体７の鍔が接触することで蓋体７の横方向への位置ずれが阻止される構成としている。
【００３２】
従って、この鍔状部32も前記載置部10も容器体３に一体に成形する構成としているので、容器体３の成形に際して容易に且つコスト安に成形可能となる。
【００３３】
また、本実施例では、容器体３内の底壁30の周縁部に凹部５を設けて、容器体３内の周壁31に付着する水滴がこの凹部５に滴下するように構成し、この凹部５に滴下した水滴を前記鍋体２へと落下排水する排水孔６を、この凹部５に設けている。
【００３４】
具体的には、前記凹部５は、前記容器体３の底壁30の周縁部全周に設け、この凹部５の周方向に間隔を置いて凹部５に複数の前記排水孔６を設け、この底壁30周縁部の全周に存する凹部５に囲まれた底壁の底面中央部30Ａを、蒸し調理食材載置用の食材載置部30Ａとしている。
【００３５】
本実施例の蓋体７は、中心部が最も上方へ膨出した形状とし、上面中心部に摘まみ11を設け、周縁部の対向位置に蒸気抜き孔12を設けた構成としている。
【００３６】
また、この蓋体７は、全周縁部を屈曲することで略水平外側方向に突出する鍔部70を形成し、この鍔部70の下面側の載置面の略全面が前記容器体３の上部開口部の鍔状部32に載置し得るように、この鍔部70を含めた蓋部７の外径寸法を設定構成している。この鍔部70は蓋体７に一体に成形する構成としているので、蓋体７の成形に際して容易に且つコスト安に成形可能となる。また、この蓋体７の鍔部70は、蓋体７を上下逆さまにした際この鍔部70の上面側の載置面の略全面が前記鍋体２の支持部21Ａの支持面の略全面に載置し得る構成とし、この際、支持部21Ａ周囲の立ち上がり壁部21Ｂが蓋体７の横方向への位置ずれを阻止する構成としている。
【００３７】
以上のように構成した本実施例は、鍋体２と容器体３と蓋体７とをスタッキングして全体を略容器体３一個分の大きさのコンパクトな収納状態にできる構成としている。
【００３８】
具体的には、先ず、図１の状態から蓋体７，容器体３，鍋体２をバラす。
【００３９】
次いで、図３〜図６に示すように、本実施例の鍋体２は、前記支持部21Ａより下方の径小下側部分２Ａを容器体３の上部開口部から容器体３内に収納することができ、尚且つ鍋体２の周壁21上端部の前記支持部21Ａの下部（下面）を容器体３の上部開口縁の鍔状部32上に載置すると、鍋体２より底の深い容器体３内にこの径小下側部分２Ａの全域が収納することとなってこの径小下側部分２Ａの収納状態が安定的に維持される。
【００４０】
即ち、この鍋体２の径小下側部分２Ａを容器体３内へ収納した状態は、容器体３よりわずかに前記立ち上がり壁部21Ｂが上方に突設しただけの略容器体３一個分の大きさとなる構成としている。
【００４１】
次いで、鍋体２の上部開口部の支持部21Ａには、上記したように蓋体７の周縁部の鍔部70を載置することができるように構成しているので、鍋体２の上部開口部の支持部21Ａに、上下逆さまにした（摘まみ11を下にした）蓋体７の周縁部の鍔部70を載置することで、蓋体７の膨出上面や摘まみ11が鍋体２の上方へ突設せず、蓋体７全体が鍋体２内に収納状態となる構成としている。
【００４２】
従って、このように容器体３内に配設した鍋体２の上部開口部の支持部21Ａに、上下逆さまにした蓋体７の鍔部70を載置することで、全体が略容器体３一個分の大きさのスタッキング状態（不使用時の収納状態）にできる構成としている。
【００４３】
尚、本発明は、本実施例に限られるものではなく、各構成要件の具体的構成は適宜設計し得るものである。
【図面の簡単な説明】
【００４４】
【図１】本実施例を示す斜視図である。
【図２】本実施例の分解斜視図である。
【図３】本実施例の収納状態を示す斜視図である。
【図４】本実施例の収納状態での分解斜視図である。
【図５】本実施例の収納状態を示す説明側断面図である。
【図６】本実施例の収納状態における部分拡大側断面図である。
【符号の説明】
【００４５】
２  鍋体
２Ａ  径小下側部分
21  周壁
21Ａ  支持部
３  容器体
30  底壁
31  周壁
４  導入孔
７  蓋体
70  鍔部
10  載置部
【図１】
2008023254.tif 000003
【図２】
2008023254.tif 000004
【図３】
2008023254.tif 000005
【図４】
2008023254.tif 000006
【図５】
2008023254.tif 000007
【図６】
2008023254.tif 000008